(57)【要約】【課題】同一チャネル妨害による影響を補正するために、アナログテレビ放送の映像信号の周波数帯域のキャリアに消失処理を行っている。この方法では、アナログテレビ放送による影響をあまり受けていないキャリアまで削除されてしまうので、受信性能が著しく低下する可能性がある。【解決手段】本発明の受信装置は、アナログテレビ放送波の周波数特性を利用して、同一チャネル妨害の発生有無を判定し、同一チャネル妨害が発生している場合、アナログテレビ放送の周波数特性を反映した信頼性情報を各キャリアに設定する。【選択図】図５
2006246447.tif 000002
【特許請求の範囲】
【請求項１】
データを載せた複数のキャリアが多重化された直交周波数分割多重信号を受信する受信装置であって、
各キャリアについて、受信電力と閾値とを比較し、受信電力が閾値より大きいか否かを判定する判定手段と、
受信電力が閾値より大きいと判定されたキャリアの中で、極大である受信電力を有する主ピークキャリアを特定する特定手段と、
前記主ピークキャリアに、当該主ピークキャリアにより搬送される信号の正確性を示す主ピーク信頼度を設定し、前記主ピークキャリア近傍のキャリアに、前記主ピークキャリアの周波数と当該キャリアの周波数との差に応じて、前記主ピーク信頼度と同等又はそれより高い信頼度を設定する設定手段と
を備えることを特徴とする受信装置。
【請求項２】
前記受信装置は、さらに、
前記直交周波数分割多重信号が、前記直交周波数分割多重信号と同一の周波数帯域を使用するアナログテレビ放送波による妨害を受けている場合に、前記主ピークキャリアから所定周波数離れた予測キャリアを特定する予測特定手段を備え、
前記設定手段は、さらに、
前記予測キャリアに、前記主ピーク信頼度と同等又はそれより高い信頼度を設定し、前記予測キャリアの近傍のキャリアに、前記予測キャリアと当該キャリアとの周波数の差に応じて、前記予測信頼度と同等又はそれより高い信頼度を設定する
ことを特徴とする請求項１に記載の受信装置。
【請求項３】
前記特定手段は、前記アナログテレビ放送波の映像信号の周波数近傍において、前記主ピークキャリアを特定し、
さらに、前記アナログテレビ放送波の音声信号の周波数近傍において、前記判定手段によって、受信電力が閾値以上であると判定されたキャリアの中で、極大である受信電力を有する副ピークキャリアの特定を試み、
前記予測特定手段は、前記特定手段によって、前記副ピークキャリアが特定されたときに、前記予測キャリアを特定する
ことを特徴とする請求項２に記載の受信装置。
【請求項４】
前記所定周波数は、前記アナログテレビ放送波の水平同期周波数の逓倍の周波数であって、
前記予測特定手段は、前記主ピークキャリアから、前記水平同期周波数の逓倍の周波数離れた前記予測キャリアを特定する
ことを特徴とする請求項３に記載の受信装置。
【請求項５】
前記所定周波数は、前記アナログテレビ放送波の音声信号の周波数と映像信号の周波数との差であって、
前記予測特定手段は、前記主ピークキャリアから、前記差に等しい周波数離れた前記予測ピークキャリアを特定する
ことを特徴とする請求項３に記載の受信装置。
【請求項６】
前記予測特定手段は、前記アナログテレビ放送波の映像信号の周波数近傍において、前記主ピークキャリアが特定された場合に、前記予測キャリアを特定する
ことを特徴とする請求項２に記載の受信装置。
【請求項７】
前記特定手段は、前記アナログテレビ放送波の映像信号の周波数近傍において、前記主ピークキャリアを特定し、
さらに、受信電力が閾値以上であると判定されたキャリアの中で、極大である受信電力を有し、前記主ピークキャリアの周波数と前記アナログテレビ放送波の水平同期周波数の逓倍の周波数だけ異なる周波数の副ピークキャリアの特定を試み、
前記予測特定手段は、前記特定手段によって、前記副ピークキャリアが特定されたときに、前記予測キャリアを特定する
ことを特徴とする請求項２に記載の受信装置。
【請求項８】
前記判定手段は、
各キャリアについて、当該キャリア及びその近傍の所定数のキャリアの受信電力の平均値を基に、当該キャリアと対応する閾値を算出する閾値算出部と、
各キャリアについて、受信電力と当該キャリアに対応する閾値とを比較し、受信電力が閾値より大きいか否かを判定する判定部と
を含むことを特徴とする請求項２に記載の受信装置。
【請求項９】
前記判定手段は、
シンボル期間ごとに、各キャリアの電力を算出する電力算出部と、
所定のシンボル期間にわたり、前記電力を、キャリア毎に積算して、各キャリアの受信電力を算出する積算部と、
各キャリアについて、受信電力と閾値とを比較し、受信電力が閾値より大きいか否かを判定する判定部と
を含むことを特徴とする請求項２に記載の受信装置。
【請求項１０】
データを載せた複数のキャリアが多重化された直交周波数分割多重信号を受信する受信装置において用いられる受信方法であって、
各キャリアについて、受信電力と閾値とを比較し、受信電力が閾値より大きいか否かを判定する判定ステップと、
受信電力が閾値より大きいと判定されたキャリアの中で、極大である受信電力を有する主ピークキャリアを特定する特定ステップと、
前記主ピークキャリアに、当該主ピークキャリアにより搬送される信号の正確性を示す主ピーク信頼度を設定し、前記主ピークキャリア近傍のキャリアに、前記主ピークキャリアの周波数と当該キャリアの周波数との差に応じて、前記主ピーク信頼度と同等又はそれより高い信頼度を設定する設定ステップと
を備えることを特徴とする受信方法。
【請求項１１】
データを載せた複数のキャリアが多重化された直交周波数分割多重信号を受信する受信装置において用いられる集積回路であって、
各キャリアについて、受信電力と閾値とを比較し、受信電力が閾値より大きいか否かを判定する判定手段と、
受信電力が閾値より大きいと判定されたキャリアの中で、極大である受信電力を有する主ピークキャリアを特定する特定手段と、
前記主ピークキャリアに、当該主ピークキャリアにより搬送される信号の正確性を示す主ピーク信頼度を設定し、前記主ピークキャリア近傍のキャリアに、前記主ピークキャリアの周波数と当該キャリアの周波数との差に応じて、前記主ピーク信頼度と同等又はそれより高い信頼度を設定する設定手段と
を備えることを特徴とする集積回路。
【発明の詳細な説明】
【技術分野】
【０００１】
本発明は、ＯＦＤＭ信号の受信時に、妨害波による影響を除去する技術に関する。
【背景技術】
【０００２】
近年、地上波デジタル放送が開始され、その利用可能地域も徐々に拡大している。地上波デジタル放送は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）方式を採用しており、電波障害が存在しても、受信側の機器において、補正処理を施すことで正常な受信状態を維持することができる。ところが、電波障害が所定の限界点を超えると急激に受信状態が悪化し、画像が部分的に欠落するブロックノイズ、映像や音声の中断といった不具合が生じる。
【０００３】
地上デジタル放送の電波品質を劣化させる要因として、マルチパス等による自身の遅延波、アナログテレビ放送波、及び不要輻射等の外的な妨害波等が考えられる。特に、同一の周波数帯域を利用するデジタル放送がアナログ放送とサイマル放送される期間においては、デジタル放送波の中にアナログ放送波が混信することがある。本明細書において、このような同一の周波数帯域を利用するアナログ放送波によって生じる妨害を、同一チャネル妨害と呼ぶ。
【０００４】
これらの妨害を検出及び除去するために、特許文献１には、妨害電波の影響を受けた搬送波を特定する技術が開示されている。また、特許文献２には、２つの受信系統を備えるＯＦＤＭダイバーシチ受信装置が開示されており、各受信系統において、分散値を用いて各キャリアの受けている妨害の強度を判定し、妨害の強度の弱い方の受信系統により受信された信号を選択的に用いることで、妨害電波による影響を回避する。
【０００５】
また、特許文献３には、パイロット信号を基に周波数選択性妨害（本願では、同一チャネル妨害）の発生を検出し、周波数選択性妨害の影響を受けているキャリアのデータを消失処理して誤り訂正を施すＯＦＤＭ受信装置が開示されている。
【特許文献１】特開２００４−１２０７８９号公報
【特許文献２】特許第３３８９１７８号公報
【特許文献３】特許第３３６３０８６号公報
【発明の開示】
【発明が解決しようとする課題】
【０００６】
特許文献３の技術では、周波数選択性の妨害を検出した場合、妨害の影響を受けていると思われるキャリアを一斉に除去する。しかしながら、アナログ放送波の映像信号は、電力が極大になるピークを、離散的に含んでいる。ピーク近傍の周波数のＯＦＤＭキャリアは、映像信号から大きく影響を受けるが、ピークとピークの間の周波数のキャリアは、あまり影響を受けない。また、アナログ放送波のオフセットは、＋１０ｋＨｚ、−１０ｋＨｚ或いはオフセット無しの何れかであるが、何れであるかは、放送局によって異なる。従って、特許文献３の方法で、アナログ放送の周波数特性やオフセットの有無に関わらず、同一チャネル妨害の影響を受けているキャリアを一斉に除去すると、実際にアナログ放送の影響を受けていないキャリア及び弱い影響しか受けていないキャリアのデータを除去してしまうことがあり、受信性能が低下する。特に、たたみ込み符号の符号化率が大きい場合は、受信性能が著しく低下する。
【０００７】
上記の問題を解決するために本発明は、受信性能を保ちつつ、アナログ放送による妨害電波を除去することができる受信装置、受信方法を提供することを目的とする。
【課題を解決するための手段】
【０００８】
この課題を解決するため、本発明は、データを載せた複数のキャリアが多重化された直交周波数分割多重信号を受信する受信装置であって、各キャリアについて、受信電力と閾値とを比較し、受信電力が閾値より大きいか否かを判定する判定手段と、受信電力が閾値より大きいと判定されたキャリアの中で、極大である受信電力を有する主ピークキャリアを特定する特定手段と、前記主ピークキャリアに、当該主ピークキャリアにより搬送される信号の正確性を示す主ピーク信頼度を設定し、前記主ピークキャリア近傍のキャリアに、前記主ピークキャリアの周波数と当該キャリアの周波数との差に応じて、前記主ピーク信頼度と同等又はそれより高い信頼度を設定する設定手段とを備えることを特徴とする。
【発明の効果】
【０００９】
前記主ピークキャリアの受信電力は極大であるので、前記主ピークキャリアは、妨害波の周波数と最も近い周波数を有しており、妨害波の影響を強く受けている。しかし、前記主ピークキャリアとの周波数の差が大きくなるにつれて、主ピークキャリアの近傍のキャリアが妨害波から受ける影響は小さくなる。上記の構成によると、前記設定手段は、前記主ピークキャリア近傍の各キャリアに、前記主ピークキャリアの周波数と当該キャリアの周波数との差に応じて、前記主ピーク信頼度と同等又はそれより高い信頼度を設定する。従って、妨害波の影響を強く受けているキャリアには、低い信頼度を設定し、妨害波の影響をあまり受けていないキャリアには、高い信頼度を設定することができる。
【００１０】
ここで各キャリアに設定された信頼度に応じて、各キャリアによって搬送された信号に重み付けをして、データを復元することで、妨害波の影響を確実に除去しつつ、受信性能の低下を防止することができるという優れた効果を奏する。
前記受信装置は、さらに、前記直交周波数分割多重信号が、前記直交周波数分割多重信号と同一の周波数帯域を使用するアナログテレビ放送波による妨害を受けている場合に、前記主ピークキャリアから所定周波数離れた予測キャリアを特定する予測特定手段を備え、前記設定手段は、さらに、前記予測キャリアに、前記主ピーク信頼度と同等又はそれより高い信頼度を設定し、前記予測キャリアの近傍のキャリアに、前記予測キャリアと当該キャリアとの周波数の差に応じて、前記予測信頼度と同等又はそれより高い信頼度を設定することを特徴とする。
【００１１】
アナログテレビ放送波の周波数特性は、離散的に電力が極大値となる。電力が極大値となる周波数の位置関係及び各極大値の大小関係はほぼ定まっている。上記構成によると、前記予測特定手段は、前記主ピークキャリアから所定周波数離れた予測キャリアを特定し、前記設定手段は、前記予測キャリアに、前記主ピーク信頼度と同等又はそれより高い信頼度を設定する。従って、前記アナログ放送波の特性、つまり、各極大値の周波数の位置及び極大値間の大小関係を反映した信頼度を設定することができる。
【００１２】
さらに、前記受信装置を構成する前記設定手段は、前記予測キャリアの近傍のキャリアに、前記予測キャリアと当該キャリアとの周波数の差に応じて、前記予測信頼度と同等又はそれより高い信頼度を設定するので、前記アナログ放送波の有するピーク近傍のキャリアにも適切な信頼度を設定することができるという効果を奏する。
また、前記受信装置において、前記特定手段は、前記アナログテレビ放送波の映像信号の周波数近傍において、前記主ピークキャリアを特定し、さらに、前記アナログテレビ放送波の音声信号の周波数近傍において、前記判定手段によって、受信電力が閾値以上であると判定されたキャリアの中で、極大である受信電力を有する副ピークキャリアの特定を試み、前記予測特定手段は、前記特定手段によって、前記副ピークキャリアが特定されたときに、前記予測キャリアを特定することを特徴とする。
【００１３】
アナログテレビ放送波の映像信号の分布する周波数と音声信号の分布する周波数は、規格によって決まっている（ただし、±１０ｋＨｚのオフセットを設けていることもある。）。そのため、前記アナログテレビ放送波の映像信号の周波数近傍において、前記主ピークキャリアが特定され、かつ、前記アナログテレビ放送波の音声信号の周波数近傍において、前記副ピークキャリアが特定されたとき、当該直交周波数分割多重信号は、非常に高い確率で、同一チャネル妨害が生じていると推測できる。上記の構成によると、前記予測特定手段は、前記アナログテレビ放送波の映像信号の周波数近傍において、前記主ピークキャリアが特定され、さらに、前記アナログテレビ放送波の音声信号の周波数近傍において、前記副ピークキャリアが特定されたときに、前記予測キャリアを特定する。従って、前記設定手段は、非常に高い精度で、同一チャネル妨害に対応した信頼度の設定を行うことができる。
【００１４】
また、前記所定周波数は、前記アナログテレビ放送波の水平同期周波数の逓倍の周波数であって、前記受信装置を構成する前記予測特定手段は、前記主ピークキャリアから、前記水平同期周波数の逓倍の周波数離れた前記予測キャリアを特定することを特徴とする。
アナログテレビ放送波の映像信号は、水平同期周波数の逓倍ごとに急峻なピークを有する。この構成によると、前記設定手段は、確実に、アナログ放送の映像信号により強く影響を受けるキャリアに低い信頼度を設定することができる。
【００１５】
また、前記所定周波数は、前記アナログテレビ放送波の音声信号の周波数と映像信号の周波数との差であって、前記受信装置を構成する前記予測特定手段は、前記主ピークキャリアから、前記差に等しい周波数離れた前記予測ピークキャリアを特定することを特徴とする。
アナログテレビ放送波の映像信号の周波数と音声信号の周波数の間隔は、規格により決まっている。従って、この構成によると、前記設定手段は、確実に、アナログ放送の音声信号により強く影響を受けるキャリアに低い信頼度を設定することができる。
【００１６】
また、前記受信装置において、前記予測特定手段は、前記アナログテレビ放送波の映像信号の周波数近傍において、前記主ピークキャリアが特定された場合に、前記予測キャリアを特定することを特徴とする。
アナログテレビ放送の音声信号の電力は、映像信号の電力に比べて小さい。そのため、同一チャネル妨害が発生している場合でも、妨害のレベルが弱い場合、受信した直交周波数分割多重信号の周波数特性に、音声信号の影響がわずかしか現れないことがある。上記の構成によると、前記予測特定手段は、前記アナログテレビ放送波の映像信号の周波数近傍において、前記主ピークキャリアが特定された場合に、前記予測キャリアを特定するので、本発明の受信装置は、妨害のレベルが弱い場合であっても、アナログテレビ放送によって、影響を受けていると予測されるキャリアに、低い信頼度を設定することができる。
【００１７】
また、この構成の場合、前記予測特定手段の回路構成を簡易にすることができる。
また、本発明において、前記特定手段は、前記アナログテレビ放送波の映像信号の周波数近傍において、前記主ピークキャリアを特定し、さらに、受信電力が閾値以上であると判定されたキャリアの中で、極大である受信電力を有し、前記主ピークキャリアの周波数と前記アナログテレビ放送波の水平同期周波数の逓倍の周波数だけ異なる周波数の副ピークキャリアの特定を試み、前記予測特定手段は、前記特定手段によって、前記副ピークキャリアが特定されたときに、前記予測キャリアを特定することを特徴とする。
【００１８】
アナログテレビ放送波の映像信号は、水平同期周波数の逓倍ごと電力が集中しており、急峻なピークを有する。従って、前記アナログテレビ放送波の映像信号の周波数近傍において、前記主ピークキャリアが存在し、かつ、前記主ピークキャリアの周波数と前記アナログテレビ放送波の水平同期周波数の逓倍の周波数だけ異なる周波数の副ピークキャリアが存在する場合、非常に高い確率で、同一チャネル妨害が発生していると、推測できる。上記の構成によると、前記アナログテレビ放送波の映像信号の周波数近傍において、前記主ピークキャリアが存在し、かつ、前記主ピークキャリアの周波数と前記アナログテレビ放送波の水平同期周波数の逓倍の周波数だけ異なる周波数の副ピークキャリアが存在する場合に、前記予測キャリアを特定するので、本発明の受信装置は、同一チャネル妨害に適した信頼度の設定を行うことができる。
【００１９】
また、前記受信装置において、前記判定手段は、各キャリアについて、当該キャリア及びその近傍の所定数のキャリアの受信電力の平均値を基に、当該キャリアと対応する閾値を算出する閾値算出部と、各キャリアについて、受信電力と当該キャリアに対応する閾値とを比較し、受信電力が閾値より大きいか否かを判定する判定部とを含むことを特徴とする。
【００２０】
通常、直交周波数分割多重信は、妨害波の影響を受けているキャリアを除くと、周波数に対する電力の分布はフラットになる。しかし、号伝送経路の影響などによって、前記直交周波数分割多重信号の電力の分布に傾きが生じる。そのため、全てのキャリアに同一の閾値を用いて、前記判定を行うと、この傾きの影響によって、妨害波の影響を受けていないキャリアに、前記設定手段が、低い信頼度を設定する恐れがある。
【００２１】
上記の構成によると、閾値算出部は、各キャリア毎に、当該キャリア及びその近傍の所定数のキャリアの受信電力の平均値を基に、適切な閾値を算出する。従って、上述したような誤った信頼度の設定を、防止することができる。
また、本発明の受信装置において、前記判定手段は、シンボル期間ごとに、各キャリアの電力を算出する電力算出部と、所定のシンボル期間にわたり、前記電力を、キャリア毎に積算して、各キャリアの受信電力を算出する積算部と、各キャリアについて、受信電力と閾値とを比較し、受信電力が閾値より大きいか否かを判定する判定部とを含むことを特徴とする。
【００２２】
この構成によると、各キャリアの受信電力は、所定のシンボル期間にわたり、前記電力を、キャリア毎に積算して、生成されている。従って、瞬間的な妨害波の影響、移動通信下での電波の受信不良など、一時的な受信状態の変化に左右されることなく、前記判定部は、安定して前記判定を行うことができる。
【発明を実施するための最良の形態】
【００２３】
１．  実施の形態１
以下に、本発明にかかる実施の形態１について、図面を用いて説明する。
１．１  同一チャネル妨害について
本発明をより理解しやすくするために、地上波デジタル放送において発生する妨害について説明する。
【００２４】
（１）周波数特性
図１（ａ）は、日本での地上波デジタル放送の放送波の周波数特性を模式的に示している。以下、実施の形態１では、基本的に、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）方式のモード３に準拠する地上波デジタル放送を例に説明する。ＩＳＤＢ−Ｔ方式については、公知であるので、ここでは詳細な説明を省略する。
【００２５】
図１（ａ）に示すように、地上波デジタル放送１チャネル当たりには６ＭＨｚの周波数帯域が割り当てられており、６ＭＨｚ帯域を１４分割したうちの１３個セグメントを、実際の伝送に使用する。隣接する帯域を利用するアナログ放送波の音声信号の影響を避けるため、１／７ＭＨｚのオフセットが設定されているため、地上波デジタル放送においては、チャネル下端から５／１４ＭＨｚ（＝３５７．１４ｋＨｚ）の位置に、ＯＦＤＭ信号の最も周波数の低いキャリア（キャリア番号「０」）が存在し、最も周波数の高いキャリア（キャリア番号「５６１６」）が、チャネル上端から１／１４ＭＨｚの位置に存在する。モード３では、ＯＦＤＭのキャリア間隔は、０．９９２０６３ｋＨｚと規定されており、１チャネルに、５６１７本のキャリアが存在する。ＯＦＤＭの各キャリアの電力は、ほぼ同一であり、図１（ａ）に示すように、地上波デジタル放送のＯＦＤＭ信号１５１は、フラットになる。
【００２６】
図１（ｂ）は、日本でのアナログ放送（ＮＴＳＣ方式：Ｎａｔｉｏｎａｌ  Ｔｅｌｅｖｉｓｉｏｎ  Ｓｔａｎｄａｒｄｓ  Ｃｏｍｍｉｔｔｅｅ）の周波数特性を模式的に示している。図１（ｂ）に示すように、アナログ放送には、１チャネル当たり６ＭＨｚの周波数帯域が割り当てられており、６ＭＨｚの周波数帯域の下端から１．２５ＭＨｚの位置を中心に、映像信号１５２が分布しており、５．７５ＭＨｚの位置を中心として、音声信号１５３が分布している。映像信号１５２のピークと、音声信号１５３のピークの間隔は、約４．５ＭＨｚである。ただし、既に述べたように、アナログ放送では、放送局によって、±１０ｋＨｚのオフセットを設けることもある。一般に、映像信号は、音声信号に比べて、電力強度が大きい。
【００２７】
（２）同一チャネル妨害
地上波デジタル放送は、ＵＨＦ帯域（４４０〜７７０ＭＨｚ）を利用するため、同一のチャネルで、地上波デジタル放送と、アナログ放送とが混信し、同一チャネル妨害が発生することがある。
図２（ａ）は、同一チャネルを利用するアナログ放送と地上波デジタル放送の周波数特性を示している。地上波デジタル放送のＯＦＤＭ信号１５６と、アナログ放送の映像信号１５４及び音声信号１５５の存在する周波数帯域は、重複している。
【００２８】
図２（ｂ）は、図２（ａ）の映像信号１５４のピークとなる周波数付近を拡大して示している。図中の太い矢印はそれぞれ、アナログ放送の映像信号のピークであり、細い縦線は、それぞれＯＦＤＭ信号のキャリアを示している。
アナログ放送の映像信号は、アナログ放送の水平同期周波数（１５．７３４２６４ｋＨｚ）の逓倍の位置に電力が集中するので、図２（ｂ）に示すように、等間隔に急峻なピーク１５４ａ〜１５４ｉを有しており、隣接するピーク間の間隔は、１５．７３４２６４ｋＨｚである。
【００２９】
図２（ｃ）は、図２（ｂ）のピーク１５４ｅからピーク１４５ｆの間を拡大して示している。図中のピーク１５４ｅ及び１５４ｆと平行に並ぶ細い矢印は、それぞれＯＦＤＭ信号のキャリアを示している。前述の通り、ピーク１５４ｅとピーク１５４ｆとの間隔は、１５．７３４２６４ｋＨｚであり、ＯＦＤＭ信号のキャリア間隔は、０．９９２０６３ｋＨｚである。１５．７３４２６４／０．９９２０６３＝１５．８６・・・  となるので、アナログ放送の音声信号のピーク間には、約１６本ずつ、ＯＦＤＭ信号のキャリアが存在する。
【００３０】
同一チャネル妨害が発生している場合、アナログ放送の映像信号のピーク近傍のキャリアは、映像信号の影響を強く受けるが、その他のキャリアは、あまり影響を受けない。例えば、図２（ｃ）に示す位置に、ＯＦＤＭのキャリアが存在する場合、ピーク１５４ｅ及びピーク１５４ｆ近傍のキャリアは、映像信号により大きな影響を受ける。特にピーク１５４ｅ及び１５４ｆに最も近い周波数のキャリア１５６ａ及び１５６ｃは、最も強く影響を受ける。しかし、ピーク１５４ｅとピーク１５４ｆとの中間付近のキャリアは、影響を受けにくい。
【００３１】
一方、図３に示すように、アナログ放送の音声信号１５５は、水平同期周波数の２倍（３１．４６８Ｈｚ）の間隔で電力が集中するピーク１５５ａ〜１５５ｅを有する。３１．４６８／０．９９２０６３＝３１．７１９・・・  であるので、隣接するピーク間には、約３２本のＯＦＤＭのキャリアが存在する。
しかし、音声信号のピークは映像信号とは異なり、それほど急峻ではなく、全体としては、最も電力の大きいピーク１５５ｃを頂点として、ピーク１５５ｃから離れるに従って、電力は低下する。従って、ピーク１５５ｃに近い周波数のキャリアほど音声信号の影響を強く受け、ピーク１５５ｃから離れるに従って、音声信号による影響は弱まっていく。
【００３２】
ここで、アナログ放送にオフセットがない場合を想定すると、アナログ放送の映像信号１５４の最大のピーク１５４ｅは、ＯＦＤＭの下端のキャリアの位置から８９２．８６ｋＨｚ（＝１．２５ＭＨｚ−３５７．１４ｋＨｚ）の位置に存在する。８９２．８６ｋＨｚ／０．９９２０６３ｋＨｚ＝９００.００３３・・・  となるので、ピーク１５４ｅと最も近い周波数に存在するキャリア１５６ａのキャリア番号は「９００」である。なお、ここでは、受信装置の移動などに伴う周波数の変動は加味していない。
【００３３】
また、映像信号１５４と音声信号１５５との間隔は４．５ＭＨｚであるので、映像信号１５４の最大のピーク１５４ｅと音声信号１５５の最大のピーク１５５ｃとの間には、４５３６本（＝４．５ＭＨｚ／０．９９２０６３ｋＨｚ）のキャリアが存在し、音声信号１５５のピーク１５５ｃと最も周波数の近いキャリアは、キャリア番号「５４３６」である。
【００３４】
（３）インバンド妨害
また、地上波デジタル放送は、同一チャネルのアナログ放送以外にも、伝送途中における周辺機器からの不要輻射、雷などの自然現象といった様々な要因によって、妨害を受ける（以下、インバンド妨害と呼ぶ）。図４は、地上波デジタル放送のＯＦＤＭ信号１６０と、地上波デジタル放送の周波数帯域に生じた妨害波１５９を示している。妨害波１５９の発生する周波数は、事前に予測することが困難であることが多い。
１．２  放送受信装置１００の構成
以下に、実施の形態１に係る放送受信装置１００の構成について説明する。
【００３５】
放送受信装置１００は、ＩＳＤＢ−Ｔ方式のモード３に準拠する地上波デジタル放送を受信し、再生する装置であって、液晶テレビ等の表示機器に接続されている。図５に示すように、アンテナ１０１、チューナ１０２、Ａ／Ｄ変換部１０３、直交検波部１０４、ＦＦＴ処理部１０６、等化処理部１０７、デインタリーブ部１０８、デマップ部１０９、ビタビ復号部１１１、電力算出部１１２、平均算出部１１３、閾値算出部１１８、妨害判定部１１９、信頼性出力部１２１、ＲＳ復号部１２２、ＴＳデコード部１２３及びＭＰＥＧデコード部１２４から構成される。
【００３６】
チューナ１０２、Ａ／Ｄ変換部１０３、直交検波部１０４、ＦＦＴ処理部１０６、等化処理部１０７、デインタリーブ部１０８、デマップ部１０９、ビタビ復号部１１１、電力算出部１１２、平均算出部１１３、閾値算出部１１８、妨害判定部１１９、信頼性出力部１２１及びＲＳ復号部１２２は、１個のＬＳＩ（Ｌａｒｇｅ  Ｓｃａｌｅ  Ｉｎｔｅｇｒａｔｉｏｎ）上に形成される回路である。
【００３７】
以下に、放送受信装置１００の各構成要素について説明する。
（１）アンテナ１０１及びチューナ１０２
チューナ１０２は、アンテナ１０１により受信された信号から所定のチャネルに係る周波数帯域を選局し、Ａ／Ｄ変換部１０３へ出力する。
（２）Ａ／Ｄ変換部１０３及び直交検波部１０４
Ａ／Ｄ変換部１０３は、チューナ１０２から出力された搬送波ＯＦＤＭ信号を標本化して、デジタル信号に変換し、直交検波部１０４へ出力する。
【００３８】
直交検波部１０４は、搬送波ＯＦＤＭ信号に、基準搬送波と同一の周波数の正弦波を掛け合わせ、高周波成分を除去して、ＯＦＤＭベースバンド信号の標本値列を生成する。生成した標本値列をＦＦＴ処理部１０６へ出力する。
（３）ＦＦＴ処理部１０６
ＦＦＴ処理部１０６は、直交検波部１０４から出力された、ＯＦＤＭベースバンド信号の標本値列から、シンボル期間（ガードインターバルを含む）毎に、１有効シンボル期間に含まれる標本値を抽出する。抽出した標本値列に離散フーリエ変換を施し、各キャリアの複素信号を生成する。このようにして生成された１有効シンボルに係る複素信号群をＯＦＤＭシンボルと呼ぶ。生成したＯＦＤＭシンボルを等化処理部１０７及び電力算出部１１２へ出力する。
【００３９】
（４）等化処理部１０７
地上波デジタル放送のＯＦＤＭ信号は、キャリア方向に、１２シンボルおきにＳＰ信号（スキャッタードパイロット信号）を含んでいる。ＳＰ信号を含むキャリアは、シンボル期間ごとに、３シンボルずつずらして配置されている。等化処理部１０７は、ＦＦＴ処理部１０６から、ＯＦＤＭシンボルを受け取り、受け取ったＯＦＤＭシンボルに含まれるＳＰ信号を検出し、検出したＳＰ信号を利用して、伝送路上での歪みの影響を補償する。
【００４０】
（５）デインタリーブ部１０８
デインタリーブ部１０８は、等化処理部１０７により補償されたＯＦＤＭシンボルを順次受け取り、受け取ったＯＦＤＭシンボルを時間デインタリーブ及び周波数デインタリーブする。続いて、各ＯＦＤＭシンボルを構成する複素信号を並直列変換して、デマップ部１０９へ出力する。
【００４１】
（６）電力算出部１１２
電力算出部１１２は、ＦＦＴ処理部１０６からＯＦＤＭシンボルを受け取り、受け取ったＯＦＤＭシンボルを構成する複素信号群を基に、１有効シンボル期間における各キャリアの電力を算出する。説明の便宜上、シンボル番号ｍのＯＦＤＭシンボルに含まれ、キャリア番号ｓ（０≦ｓ≦５６１６）のキャリアの電力をｐ（ｍ，ｓ）と表記する。算出した各キャリアの電力ｐ（ｍ，ｓ）を平均算出部１１３へ出力する。
【００４２】
（７）平均算出部１１３
平均算出部１１３は、加算部１１４、メモリ１１６及び遅延部１１７を含んで構成され、各キャリアの、現時点までのシンボル方向の平均電力を算出する機能部である。
メモリ１１６は、各キャリアの現時点までのシンボル方向の平均電力を記憶している。図６は、メモリ１１６の構成の一例を示している。図６に示すように、メモリ１１６は、５６１７個の記憶領域１３１、１３２、１３３・・・１３４を備える。各記憶領域には、キャリア番号（０〜５６１６）及び平均電力（Ｐ０〜Ｐ５６１６）が記憶されている。平均電力は、対応するキャリア番号の示すキャリアの電力を、シンボル方向に平均したものである。
【００４３】
例えば、記憶領域１３１には、キャリア番号「０」と平均電力「Ｐ０」が記憶されている。電力算出部１１２からｐ（ｍ，０）が出力された後であるとすると、「Ｐ０」は、ｐ（０，０）、ｐ（１，０）・・・ｐ（ｍ，０）の平均値である。
加算部１１４は、電力算出部１１２から各キャリアの電力を順次受け取る。加算部１１４が、ｐ（ｍ，ｓ）を受け取った場合、このとき、遅延部１１７は、キャリア番号ｓと対応する平均電力「Ｐｓ」をメモリ１１６から読み出し、加算部１１４へ出力する。加算部１１４は、ｋ×ｐ（ｍ，ｓ）＋（１−ｋ）×Ｐｓ  を算出し、算出結果により、メモリ１１６に記憶されているキャリア番号「ｓ」と対応する平均電力を更新する。ｋは０．００１〜０．１の間で変動する変数である。
【００４４】
以上説明した平均算出部１１３は、ＩＩＲフィルタを用いて実現することができる。
（８）閾値算出部１１８
閾値算出部１１８は、メモリ１１６から平均電力「Ｐ０」〜「Ｐ５６１６」を読み出す。
次に、閾値算出部１１８は、読み出した平均電力「Ｐ０」〜「Ｐ５６１６」を一時的に記憶する。記憶している平均電力「Ｐ０」〜「Ｐ５６１６」の平均値を算出し、算出した平均値に所定のオフセットを加算して閾値を算出する。ここで算出する閾値は、後続の妨害判定部１１９において、各キャリアが妨害を受けているか否かを判定するために用いられる。なお、上記の閾値の計算方法は、一例であって、他の方法を用いてもよい。
【００４５】
閾値を算出すると、閾値算出部１１８は、読み出した平均電力「Ｐ０」〜「Ｐ５６１６」及び算出した閾値を妨害判定部１１９へ出力する。
（９）妨害判定部１１９
妨害判定部１１９は、閾値算出部１１８から出力された平均電力「Ｐ０」〜「Ｐ５６１６」を対応するキャリア番号と共に一時的に記憶する。また、閾値も一時的に記憶し、これらを基に、以下の手順で、ＯＦＤＭ信号に同一チャネル妨害が発生しているか否かを判定する。
【００４６】
まず、平均電力「Ｐ０」〜「Ｐ５６１６」のそれぞれと閾値とを比較することによって、各キャリアが妨害を受けているか否かを判定する。閾値より大きい平均電力を有するキャリアは、何らかの妨害を受けていると判定し、判定結果「ＮＧ」、閾値以下の平均電力を有するキャリアは、妨害を受けていないと判定し、判定結果「ＯＫ」をキャリア毎に記憶する。図７は、このとき、妨害判定部１１９が記憶している情報の構成を示している。ここでは、一例として、キャリア番号と平均電力と判定結果とを対応付けるキャリア判定表１４０を記憶している。キャリア判定表１４０は、５６１７個の判定情報１４１、１４２、１４３・・・１４９から構成され、各判定情報は、キャリア番号、キャリア番号の示すキャリアの平均電力及び判定結果を含んでおり、それぞれキャリア番号の示すキャリアと対応している。
【００４７】
図８及び図９は、各キャリアの平均電力の分布の一例を示している。両図の横軸は、キャリア番号であり、縦軸は平均電力である。図中の破線は、閾値算出部１１８により算出された閾値を示している。ここでは、同一チャネル妨害が発生している際の平均電力の分布を示している。図８では、キャリア番号「８６７」〜「９３３」までの部分を抜粋して示しており、この部分は、アナログ放送の映像信号が分布している帯域と一致する。
【００４８】
図９では、キャリア番号「５４０３」〜「５４６９」のキャリアの部分を抜粋して示しており、この部分はアナログ放送の音声信号が分布している帯域と一致する。
図８及び図９に示すように、平均電力の分布は、離散的に極大になる箇所がある。特に図８に示す周波数帯域においては、キャリア番号「８６８」、「８８４」、「９００」、「９１６」及び「９３２」のと対応する平均電力を極大値とする急峻なピークが存在している。これは、アナログ放送の映像信号が１５．７３４２６４ｋＨｚおきに離散的なピークを有することに起因している。キャリア番号「８６８」、「８８４」、「９００」、「９１６」、「９３２」近辺のキャリア番号に対する平均電力は閾値を超えている。従って、キャリア番号「８６８」、「８８４」、「９００」、「９１６」、「９３２」及び、その近辺のキャリア番号を含むキャリア判定情報の判定結果は、何れも「ＮＧ」である。
【００４９】
また、図９に示す周波数帯域でも、キャリア番号「５４０４」、「５４３６」、「５４６８」のと対応する平均電力を極大値とするピークが存在している。しかし、図９に示すピークは、なだらかであって、全体の傾向としては、最大の平均電力を有するキャリア（キャリア番号「５４６３」）から遠ざかるほど、平均電力が小さくなる。これは、３１．４６８ｋＨｚ間隔でゆるやかなピークを有するアナログ放送の音声信号による影響である。従って、キャリア番号「５４３６」のキャリアを中心とした複数のキャリアと対応する判定情報の判定結果が「ＮＧ」となる。
【００５０】
妨害判定部１１９は、キャリア判定表１４０を構成する判定情報のうち判定結果が「ＮＧ」であるものを選択する。選択した判定情報において、キャリア番号が連続する判定情報に含まれる平均電力同士を比較することで、平均電力が極大値となるキャリアを特定する。例えば、判定情報１４４、１４５、１４６に含まれる判定結果は何れも「ＮＧ」であり、キャリア番号が連続している。判定情報１４４、１４５、１４６に含まれる平均電力を比較し、Ｐ８９９≦Ｐ９００≧Ｐ９０１であるので、キャリア番号「９００」のキャリアは平均電力が極大値となるキャリアであと決定する。同様の手順で、平均電力が極大値となるキャリアを特定する。ここで、特定されたキャリアをピークキャリアと呼び、対応するキャリア番号（以下、ピークキャリア番号）を、「Ｃ０」、「Ｃ１」、「Ｃ２」・・・「Ｃｘ」と表記する（０≦ｘ＜５６１６，０≦Ｃ０、Ｃ１・・・Ｃｘ≦５６１６）。
【００５１】
次に、妨害判定部１１９は、特定したピークキャリア番号のうち、８８０≦Ｃｂ≦９２０を満たすピークキャリア番号「Ｃｂ」を検索する（０≦ｂ≦ｘ）。上述したように、アナログ放送の映像信号のピークは、キャリア番号「９００」のキャリアと最も周波数が近い。ただし、±１０ｋＨｚのオフセットの有無を考慮すると、アナログ放送の映像信号のピークは、キャリア番号「８９０」〜「９１０」のキャリアの周波数帯域に含まれると考えられる。本実施の形態では、伝送経路上での影響や放送受信装置１００自身の移動による周波数の変動も考慮して、キャリア番号「９８０」〜「９２０」の間のキャリアが、強い妨害を受けている場合、アナログ放送の映像信号に起因する妨害が生じている可能性が高いと推定する。
【００５２】
妨害判定部１１９は、８８０≦Ｃｂ≦９２０を満たすピークキャリア番号を検出すると、検出したピークキャリア番号の中で、対応する平均電力が最大であるピークキャリア番号を特定する。ここで特定されたピークキャリア番号を「Ｃｖ」とする（０≦ｖ≦ｘ）。
続いて、妨害判定部１１９は、前述のピークキャリア番号の中で、Ｃａ＝Ｃｖ＋４５３６を満たすキャリア番号「Ｃａ」を検索する（０＜ａ≦ｘ）。
【００５３】
上述したように、アナログ放送の映像信号と音声信号との間には、ＯＦＤＭ信号のキャリアが４５３６本存在する。従って、Ｃａ＝Ｃｖ＋４５３６を満たすピークキャリア番号「Ｃａ」が存在する場合、妨害判定部１１９は、同一チャネル妨害が発生していると判定する。上記の手順で特定されたピークキャリア番号「Ｃｖ」及び「Ｃａ」を、それぞれ、映像ピークキャリア番号「Ｃｖ」及び音声ピークキャリア番号「Ｃａ」と呼ぶ。映像ピークキャリア番号「Ｃｖ」の示すピークキャリアが、アナログ放送の映像信号に起因する妨害を最も強く受けているキャリアであり、音声ピークキャリア番号「Ｃａ」の示すピークキャリアがアナログ放送の音声信号に起因する妨害の影響を最も強く受けているキャリアである。
【００５４】
次に、妨害判定部１１９は、同一チャネル妨害の発生を示す発生信号と、映像ピークキャリア番号「Ｃｖ」及び音声ピークキャリア番号「Ｃａ」を信頼性出力部１２１へ出力する。続いて、特定したピークキャリア番号「Ｃ０」、「Ｃ１」、「Ｃ２」・・・「Ｃｘ」を信頼性出力部１２１へ出力する。
特定したピークキャリア番号のうち、８８０≦Ｃｖ≦９２０を満たすピークキャリア番号「Ｃｖ」が存在しない場合、言い換えると、キャリア番号「８８０」〜「９２０」のキャリアの中に妨害波の影響を強く受けるキャリアが存在しない場合、同一チャネル妨害は発生していないと判定できる。また、特定したピークキャリア番号のうち、８８０≦Ｃｂ≦９２０を満たすピークキャリア番号「Ｃｖ」が存在する場合であっても、特定したピークキャリア番号の中にＣａ＝Ｃｖ＋４５３６を満たすピークキャリア番号「Ｃａ」が存在しない場合も、同一チャネル妨害は、発生していないと判定できる。
【００５５】
同一チャネル妨害が発生していないと判定した場合、妨害判定部１１９は、同一チャネル妨害が発生していないことを示す未発生信号と、特定したピークキャリアのキャリア番号「Ｃ０」、「Ｃ１」、「Ｃ２」・・・「Ｃｘ」を信頼性出力部１２１へ出力する。
（１０）信頼性出力部１２１
信頼性出力部１２１は、予め、同一チャネル妨害が発生した場合に、アナログ放送の音声信号及び映像信号と重複する周波数帯域の各キャリアに設定する信頼性情報を記憶している。ここでは、一例として、図７のキャリア判定表１４０と同様の構成であって、キャリア番号と信頼性情報とを対応付ける第１対応表及び第２対応表を記憶しているとする。図示しないが、第１対応表は、アナログ放送の映像信号と重複する周波数帯域の各キャリアに設定する信頼性情報と各キャリアのキャリア番号とを対応付ける表である。第２対応表は、アナログ放送の音声信号と重複する周波数帯域の各キャリアに設定する信頼性情報と各キャリアのキャリア番号とを対応付ける表である。
【００５６】
ここで、信頼性情報とは、そのキャリアの信頼度を示しており、「０」、「１」、「２」、「３」のいずれかの値である。妨害電波により強く影響を受けたキャリアは、信頼度が低いため、信頼性情報の値が小さく、妨害波の影響を受けていないキャリアは、信頼度が高く、信頼性情報の値が大きい。本実施の形態においては、説明の簡略化のために、信頼性情報の値の範囲を２ビットで表すことができる範囲として説明しているが、通常、信頼性情報の値の範囲は、数ビットで表すことができる範囲である。
【００５７】
図１０は、信頼性出力部１２１が記憶している第１対応表に含まれる各キャリアのキャリア番号と信頼性情報とを示している。第１対応表に含まれるキャリア番号は、何れも変数ｖの関数で示されており、変数ｖは、アナログ放送の映像信号の影響を最も強く受けるキャリアのキャリア番号を示す変数である。図１０に示すように、第１対応表には、キャリア番号「ｖ−７０」から「ｖ＋７０」についての信頼性情報が含まれている。
【００５８】
図２を用いて説明したように、アナログ放送の映像信号のピーク間には、約１６本のキャリアが存在する。従って、図１０に示すように、キャリア番号ｖ及びキャリア番号「ｖ±１６×ｎ（１≦ｎ≦４）」のキャリアには、キャリアｖのキャリアを基準とした相対的なキャリア位置に応じて信頼性情報が設定されている。具体的には、キャリア番号ｖ及び「ｖ±１６」のキャリアには、信頼性情報「０」が設定されており、キャリア番号「ｖ±３２」及び「ｖ±４８」には、信頼性情報「１」が設定されており、キャリア番号「ｖ±６４」には、信頼性情報「２」が設定されている。さらに、キャリア番号ｖの近傍のキャリアには、キャリア番号ｖのキャリアを基準とするキャリア位置が遠くなるにつれて、高い信頼性情報が設定されている。キャリア番号「ｖ±１６×ｎ（１≦ｎ≦４）」の近傍のキャリアについても同様に、キャリア番号「ｖ±１６×ｎ（１≦ｎ≦４）」のキャリアを基準とするキャリア位置がとおくなるにつれて高い信頼性情報が設定されている。
【００５９】
図１１は、信頼性出力部１２１が記憶している第２対応表に含まれる各キャリアのキャリア番号と信頼性情報とを示している。第２対応表に含まれるキャリア番号は、何れも変数ａの関数で示されており、変数ａは、アナログ放送の音声信号の影響を最も強く受けるキャリアのキャリア番号を示す変数である。図１１に示すように、第２対応表には、キャリア番号「ａ−７０」から「ａ＋７０」についての信頼性情報が含まれている。
【００６０】
図３を用いて説明したように、アナログ音声信号のピーク間には３２本のキャリアが存在するが、ピークはいずれもなだらかであって、全体としては、最も電力の大きいピークに近い周波数のキャリアほど音声信号の影響を強く受ける。従って、キャリア番号ａのキャリア近傍のキャリアには、信頼性情報「０」が設定されており、キャリア番号ａを基準とするキャリア位置が遠くなるにつれて、設定される信頼性情報は、段階的に高く設定されている。
【００６１】
妨害判定部１１９によって、同一チャネル妨害が発生していると判定された場合、信頼性出力部１２１は、妨害判定部１１９から、同一チャネル妨害の発生を示す発生信号と、映像ピークキャリア番号「Ｃｖ」及び音声ピークキャリア番号「Ｃａ」を受け取り、続いて、特定されたピークキャリアを示すキャリア番号「Ｃ０」、「Ｃ１」、「Ｃ２」・・・「Ｃｘ」を受け取る。
【００６２】
妨害判定部１１９によって、同一チャネル妨害が発生していないと判定される場合、信頼性出力部１２１は、妨害判定部１１９から、同一チャネル妨害が発生していないことを示す未発生信号と、特定されたピークキャリアのピークキャリア番号「Ｃ０」、「Ｃ１」、「Ｃ２」・・・「Ｃｘ」を受け取る。
以下に、それぞれの場合に、信頼性出力部１２１の行う処理について、説明する。
【００６３】
（１０−ａ）同一チャネル妨害が発生している場合
発生信号と、映像ピークキャリア番号「Ｃｖ」及び音声ピークキャリア番号「Ｃａ」を受け取ると、信頼性出力部１２１は、まず、同一チャネル妨害の影響を強く受けていると推定される範囲のキャリアに、信頼性情報を設定する。具体的には、変数ｖに受け取った映像ピークキャリア番号「Ｃｖ」を代入し、図１０を用いて説明した第１対応表を基に、キャリア番号「Ｃｖ−７０」からキャリア番号「Ｃｖ＋７０」のキャリアにそれぞれ、信頼性情報を設定する。
【００６４】
次に、変数ａに受け取った音声ピークキャリア番号「Ｃａ」を代入し、図１１を用いて説明した第２対応表に従って、キャリア番号「Ｃａ−７０」から「Ｃａ＋７０」のキャリアに、それぞれ、信頼性情報を設定する。
以上のような手順で、同一チャネル妨害の影響を受けていると推定される範囲の各キャリアに信頼性情報を設定した後、続いて、信頼性出力部１２１は、以下の手順で、インバンド妨害による影響を受けている各キャリアに信頼性情報を設定する。
【００６５】
まず、信頼性出力部１２１は、妨害判定部１１９から出力されるピークキャリア番号「Ｃ０」、「Ｃ１」、「Ｃ２」・・・「Ｃｘ」を受け取る。キャリア番号「Ｃｖ−７０」から「Ｃｖ＋７０」及びキャリア番号「Ｃａ−７０」から「Ｃａ＋７０」の範囲に含まれないものは、アナログ放送以外の妨害波によるインバンド妨害が発生しているキャリアを示していると考えられる（以下、これらのピークキャリア番号をインバンドピークキャリア番号と呼び、対応するキャリアをインバンドピークキャリアと呼ぶ）。
【００６６】
また、キャリア番号「Ｃｖ−７０」から「Ｃｖ＋７０」及びキャリア番号「Ｃａ−７０」から「Ｃａ＋７０」の範囲でも、インバンド妨害が発生している可能性がある。そのため、信頼性出力部１２１は、受け取ったピークキャリア番号のうち、キャリア番号「Ｃｖ−７０」から「Ｃｖ＋７０」の範囲に含まれ、映像ピークキャリア番号「Ｃｖ」との差が、１６の逓倍でないピークキャリア番号を検索する。さらに、受け取ったピークキャリア番号のうち、キャリア番号「Ｃａ−７０」から「Ｃａ＋７０」の範囲に含まれ、映像ピークキャリア番号「Ｃａ」との差が、３２の逓倍でないピークキャリア番号を検索する。ここで、検出されるピークキャリア番号もインバンドピークキャリアを示している。
【００６７】
次に、信頼性出力部１２１は、インバンドピークキャリアの近傍のキャリアに低い信頼性情報を設定する。なお、キャリア番号「Ｃｖ−７０」から「Ｃｖ＋７０」及びキャリア番号「Ｃａ−７０」から「Ｃａ＋７０」の範囲のインバンドピークキャリアとその近傍のキャリアには、既に、第１及び第２対応表を用いて信頼性情報が設定済みであるが、ここで、設定される信頼性情報を採用する。
【００６８】
ここでの信頼性情報の設定方法は任意であるが、例えば、インバンドピークキャリアからのキャリア位置が離れるにつれて、段階的に信頼性情報を高く設定してもよい。
また、インバンドピークキャリア及びその近傍の±１０〜２０本程度のキャリアには、一律、信頼性情報「０」を割り当ててもよい。（本実施の形態は、ＩＳＤＢ−Ｔのモード３を想定しているが、モード２の場合、信頼性情報「０」を設定するキャリアの数は上記の１／２程度でよい。モード１の場合は、信頼性情報「０」を設定するキャリアの数は上記の１／４程度でよい。）
また、ピークキャリアと対応する平均電力と閾値との差も考慮して、信頼性情報を決定してもよい。
【００６９】
次に、信頼性情報を設定されていないキャリア、つまり、同一チャネル妨害の影響も、インバンド妨害の影響も受けていないキャリアに、信頼性情報「３」を設定する。
以上、全てのキャリアに対して、信頼性情報を設定し終えると、各キャリアのキャリア番号と、そのキャリアに設定された信頼性情報とを対応付けてデマップ部１０９へ出力する。
【００７０】
（１０−ｂ）同一チャネル妨害が発生していない場合
信頼性出力部１２１は、未発生信号と、特定されたピークキャリアのピークキャリア番号「Ｃ０」、「Ｃ１」、「Ｃ２」・・・「Ｃｘ」を受け取る。この場合、同一チャネル妨害は発生していないので、ピークキャリア番号「Ｃ０」、「Ｃ１」、「Ｃ２」・・・「Ｃｘ」は、全て、インバンド妨害が発生しているキャリアを示している（以下、これらのピークキャリア番号をインバンドピークキャリア番号と呼び、対応するキャリアをインバンドピークキャリアと呼ぶ）。信頼性出力部１２１は、インバンドピークキャリア及びその近傍のキャリアに低い信頼性情報を設定する。設定の方法は（１０−ａ）において、説明したインバンドピークキャリア近傍の信頼性情報の設定方法と同一である。
【００７１】
続いて、信頼性出力部１２１は、未だ信頼性情報を設定されていないキャリア番号、つまり、インバンド妨害を受けていないキャリアに信頼性情報「３」を設定する。
次に、信頼性出力部１２１は、各キャリアのキャリア番号と、そのキャリアに設定された信頼性情報とを対応付けてデマップ部１０９へ出力する。
なお、信頼性出力部１２１は、図では省略しているが、デマップ部１０９へ出力する前に、デインタリーブ部１０８による周波数デインタリーブと同様の規則に従って、各キャリアに対応する信頼性情報を、周波数デインタリーブする。
【００７２】
（１１）デマップ部１０９、ビタビ復号部１１１及びＲＳ復号部１２２
デマップ部１０９は、デインタリーブ部１０８から出力される複素信号をデマップして対応するビットデータを生成する。続いて、生成したビットデータに、信頼性出力部１２１から出力される各キャリアの信頼性情報を、ビットメトリックに割り付けてビタビ復号部１１１へ出力する。
【００７３】
ビタビ復号部１１１は、デマップ部１０９から、信頼性情報付のビットデータを順次受け取り、受け取ったビットデータを信頼性情報と共にビットデインタリーブした後、信頼性情報に基づいて重み付けをして、ビタビ復号処理を行う。
ＲＳ復号部１２２は、ビタビ復号部１１１により、ビタビ復号処理されたビットデータを受け取り、リードソロモンを復号して、ＴＳデコード部１２３へ出力する。
【００７４】
（１２）ＴＳデコード部１２３及びＭＰＥＧデコード部１２４
ＲＳ復号部１２２から出力されるビットデータは、ＭＰＥＧ２−ＴＳ（Ｍｏｖｉｎｇ  Ｐｉｃｔｕｒｅ  Ｅｘｐｅｒｔｓ  Ｇｒｏｕｐ  ｐｈａｓｅ２−Ｔｒａｎｓｐｏｒｔ  Ｓｔｒｅａｍ）を構成している。
ＴＳデコード部１２３は、トランスポートストリームに含まれるＰＳＩ（Ｐｒｏｇｒａｍ  Ｓｐｅｃｉｆｉｃ  Ｉｎｆｏｒｍａｔｉｏｎ）を検出する。検出したＰＳＩを基に所望のサービスに係るＴＳパケットをトランスポートストリームから抽出し、Ｖｉｄｅｏパケット、Ａｕｄｉｏパケット、ＰＣＲ（Ｐｒｏｇｒａｍ  Ｃｌｏｃｋ  Ｒｅｆｅｒｅｎｃｅ）パケットに分類してＭＰＥＧデコード部１２４へ出力する。
【００７５】
ＭＰＥＧデコード部１２４は、画像デコーダ及び音声デコーダを含んで構成される。画像デコーダは、ＴＳデコード部１２３から出力されたＶｉｄｅｏパケットからＭＰＥＧＶｉｄｅｏデータを抽出し、抽出したＭＰＥＧＶｉｄｅｏデータを復号して画像データを生成する。音声でコーダは、ＡｕｄｉｏパケットからＭＰＥＧＡｕｄｉｏデータを抽出し、抽出したＭＰＥＧＡｕｄｉｏデータを復号して音声データを生成する。ＭＰＥＧデコード部１２４は、ＰＣＲパケットに含まれるＰＣＲを基に同期を取りつつ、画像データと音声データとを表示機器へ出力する。
１．３  動作
以下に、本発明の特徴部分である信頼性情報の設定の動作について図１２〜１４のフローチャートを用いて説明する。
【００７６】
電力算出部１１２は、ＦＦＴ処理部１０６から、ＯＦＤＭシンボルを受け取る（ステップＳ１０１）。ＯＦＤＭシンボルを受け取ると、電力算出部１１２は、受け取ったＯＦＤＭシンボルに含まれる各キャリアの複素信号（５６１６個）を基に、各キャリアの電力ｐ（ｍ，ｓ）を算出する（ステップＳ１０２）。ここで、ｍはシンボル番号、ｓはキャリア番号である。算出した電力ｐ（ｍ，ｓ）を加算部１１４へ出力する。
【００７７】
遅延部１１７は、メモリ１１６から、現在までの各キャリアの平均電力Ｐｓを読み出し、読み出した平均電力Ｐｓを加算部１１４へ出力する（ステップＳ１０３）。
加算部１１４は、電力算出部１１２から出力された各キャリアの電力ｐ（ｍ，ｓ）と、遅延部１１７から出力された平均電力Ｐｓとを基に、キャリアごとに、ｋ×ｐ（ｍ，ｓ）＋（１−ｋ）Ｐｓを計算し、計算結果によって、メモリ１１６の記憶している平均電力Ｐｓを更新する（ステップＳ１０６）。
【００７８】
次に、閾値算出部１１８は、メモリ１１６から、各キャリアの平均電力Ｐ０〜Ｐ５６１６を読み出す（ステップＳ１０９）。閾値算出部１１８は、読み出した平均電力Ｐ０〜Ｐ５６１６の平均値に所定のオフセットを加算して閾値を算出する（ステップＳ１１１）。算出した閾値と、メモリ１１６から読み出した各キャリアの平均電力Ｐ０〜Ｐ５６１６とを妨害判定部１１９へ出力する。
【００７９】
妨害判定部１１９は、閾値算出部１１８から出力された閾値と各キャリアの平均電力とを一時的に記憶する。各キャリアについて、平均電力と閾値とを比較し、キャリア番号と平均電力と比較結果（ＯＫ又はＮＧ）とを対応付けて記憶する（ステップＳ１１２）。一例として、図７に示すようなキャリア判定表１４０を記憶している。
続いて、妨害判定部１１９は、ＮＧと判定されたキャリアを選択し、選択したキャリアについて、キャリア番号が隣接するキャリアの平均電力を比較し、その大小関係からピークキャリア（ピークキャリア番号：Ｃ０〜Ｃｘ，０≦ｘ＜５６１６，０≦Ｃ０、Ｃ１・・・Ｃｘ≦５６１６）を特定する（ステップＳ１１４）。
【００８０】
次に、ピークキャリア番号の中で、９００±２０の範囲内に属するピークキャリア番号を選出する（ステップＳ１１８）。ここで、該当するピークキャリア番号が存在しない場合（ステップＳ１１９のＮＯ）、ステップＳ１２６へ処理を移す。
該当するピークキャリア番号が存在すると（ステップＳ１１９のＹＥＳ）、妨害判定部１１９は、ステップＳ１１８において選出したピークキャリア番号の中で、対応する平均電力が最大であるピークキャリア番号「Ｃｖ」を特定する（ステップＳ１２２）。次に、ピークキャリア番号Ｃ０、Ｃ１・・・Ｃｘの中で、Ｃｖ＋４５３６と一致するピークキャリア番号を検索する（ステップＳ１２３）。Ｃａ＝Ｃｖ＋４５３６（ｖ＜ａ≦ｘ）を満たすピークキャリア番号「Ｃａ」が存在する場合（ステップＳ１２４のＹＥＳ）、妨害判定部１１９は、同一チャネル妨害が発生していると判定し、映像ピークキャリア番号を「Ｃｖ」、音声ピークキャリア番号を「Ｃａ」として、信頼性出力部１２１に同一チャネル妨害が発生していることを示す発生信号と、映像ピークキャリア番号「Ｃｖ」と、音声ピークキャリア番号「Ｃａ」とを出力する（ステップＳ１２８）。
【００８１】
信頼性出力部１２１は、妨害判定部１１９から、発生信号と映像ピークキャリア番号「Ｃｖ」と音声ピークキャリア番号「Ｃａ」とを受け取る。映像ピークキャリア番号「Ｃｖ」を変数ｖに代入し、図１０を用いて説明した第１対応表に従って、キャリア番号「Ｃｖ−７０」〜「Ｃｖ＋７０」のキャリアに対して映像ピークキャリアからの相対的キャリア位置に応じた信頼性情報を設定する（ステップＳ１２９）。
【００８２】
次に、信頼性出力部１２１は、音声ピークキャリア番号「Ｃａ」を変数ａに代入し、図１１を用いて説明した第２対応表に従って、キャリア番号「Ｃａ−７０」〜「Ｃａ＋７０」のキャリアに対して、音声ピークキャリアからの相対的キャリア位置に応じた信頼性情報を設定する（ステップＳ１３１）。
次に、信頼性出力部１２１は、キャリア番号「Ｃｖ−７０」〜「Ｃｖ＋７０」の範囲に含まれ、映像ピークキャリア番号「Ｃｖ」との差が、１６の逓倍とならないピークキャリア番号を検出する（ステップＳ１３２）。さらに、キャリア番号「Ｃａ−７０」〜「Ｃａ＋７０」の範囲に含まれ、音声ピークキャリア番号「Ｃａ」との差が、３２の逓倍とならないピークキャリア番号を検出する（ステップＳ１３３）。
【００８３】
信頼性出力部１２１は、ステップＳ１３２及びステップＳ１３３において検出したピークキャリア番号と、キャリア番号「Ｃｖ−７０」〜「Ｃｖ＋７０」及び「Ｃａ−７０」〜「Ｃａ＋７０」の範囲に含まれないピークキャリア番号とを、インバンドピークキャリア番号とし（ステップＳ１３６）、インバンドピークキャリア番号を基に、インバンドピークキャリア及びその近傍のキャリアに信頼性情報を設定する（ステップＳ１３７）。
【００８４】
次に信頼性出力部１２１は、その他のキャリア、つまり、同一チャネル妨害の影響もインバンド妨害の影響も受けていないキャリアに、信頼性情報「３」を設定する（ステップＳ１３８）。
ステップＳ１２４において、ピークキャリア番号の中に、Ｃａ＝Ｃｖ＋４５３６（０＜ａ≦ｘ）を満たすピークキャリア番号「Ｃａ」が存在しない場合（ステップＳ１２４のＮＯ）、妨害判定部１１９は、同一チャネル妨害は発生していないと判定し、同一チャネル妨害が発生していないことを示す未発生信号と、ピークキャリア番号「Ｃ０」、「Ｃ１」・・・「Ｃｘ」を信頼性出力部１２１へ出力する（ステップＳ１２６）。
【００８５】
信頼性出力部１２１は、未発生信号とピークキャリア番号「Ｃ０」、「Ｃ１」・・・「Ｃｘ」とを受け取ると、受け取ったピークキャリア番号をインバンドピークキャリア番号として（ステップＳ１２７）、ステップＳ１３７へ処理を移す。
全てのキャリアに信頼性情報を設定し終えると、信頼性出力部１２１は、各キャリアのキャリア番号と設定した信頼性情報とを対応付けて、ビタビ復号部１１１へ出力する（ステップＳ１３９）。
１．４  まとめ・効果
以上説明した放送受信装置１００は、各キャリアの電力をシンボル方向に平均した平均電力を算出し、算出した平均電力と閾値とを基に各キャリアが妨害波の影響を受けているか否かを判定する。移動受信環境下は受信波の変動が激しいために、１シンボルのみでは、妨害の検出が困難である。上記のようにシンボル方向の平均電力を用いて判定を行うことで、精度良く妨害の検出を行うことができる。
【００８６】
さらに、妨害判定部１１９は、妨害が発生しているキャリアにおいて、電力が極大となるピークキャリアがアナログ放送の映像信号の周波数近傍（キャリア番号８８０〜９２０）に存在し、かつ、検出したピークキャリアから、４５３６本離れたキャリア位置（周波数にして４．５ＭＨｚ）に、電力が極大となるピークキャリアが存在した場合に同一チャネル妨害と判定する。このような判定基準によって、精度良く同一チャネル妨害の発生を検出することができる。
【００８７】
同一チャネル妨害が発生していると判定された場合、信頼性出力部１２１は、映像ピークキャリアと音声ピークキャリアを基準に、図１０及び図１１に示すように、アナログ放送の周波数特性を考慮した信頼性情報の設定を行う。そのため、アナログ放送の影響を強く受けるキャリアの信頼性情報を確実に低くすると共に、アナログ放送の影響をあまり受けないキャリアの信頼性情報が必要以上に低く設定されることを回避することができる。
【００８８】
従って、本発明の放送受信装置１００は、同一チャネル妨害の影響を排除しつつ、復調した際の受信性能の劣化を防止するという優れた効果を奏する。
また、インバンド妨害を受けているキャリアについても、インバンドピークキャリアを基準とするキャリア位置に応じて、信頼性情報を設定する。つまり、妨害波による影響の強いキャリアの信頼性情報を確実に低くし、妨害波の影響の小さいキャリアの信頼性情報の値を高く設定する。従って、妨害波の影響を排除しつつ、受信性能の劣化を防止することができる。
２．実施の形態２
以下に、本発明の実施の形態２に係る放送受信装置２００について、図面を用いて説明する。
２．１  放送受信装置２００の構成
放送受信装置２００は、実施の形態１の放送受信装置１００と同様に、ＩＳＤＢ−Ｔ方式のモード３に準拠する地上波デジタル放送を受信し、再生する装置であって、液晶テレビ等の表示機器に接続されている。
【００８９】
図１５に示すように放送受信装置２００は、アンテナ１０１、チューナ１０２、Ａ／Ｄ変換部１０３、直交検波部１０４、ＦＦＴ処理部１０６、等化処理部２０７、デインタリーブ部１０８、デマップ部１０９、ビタビ復号部１１１、電力算出部１１２、平均算出部１１３、閾値算出部１１８、妨害判定部１１９、信頼性出力部１２１、ＲＳ復号部１２２、ＴＳデコード部１２３、ＭＰＥＧデコード部１２４、電力算出部２０８、短期信頼性生成部２０９及び信頼性合成部２１１から構成される。なお、実施の形態１の放送受信装置１００と同様の構成要素には、図５と同一の参照符号を付している。
【００９０】
チューナ１０２、Ａ／Ｄ変換部１０３、直交検波部１０４、ＦＦＴ処理部１０６、等化処理部１０７、デインタリーブ部１０８、デマップ部１０９、ビタビ復号部１１１、電力算出部１１２、平均算出部１１３、閾値算出部１１８、妨害判定部１１９、信頼性出力部１２１、ＲＳ復号部１２２、電力算出部２０８、短期信頼性生成部２０９及び信頼性合成部２１１は、１個のＬＳＩ上に形成される回路である。
【００９１】
以下に、放送受信装置１００の各構成要素について説明するが、アンテナ１０１、チューナ１０２、Ａ／Ｄ変換部１０３、直交検波部１０４、ＦＦＴ処理部１０６、デインタリーブ部１０８、デマップ部１０９、ビタビ復号部１１１、電力算出部１１２、平均算出部１１３、閾値算出部１１８、妨害判定部１１９、信頼性出力部１２１、ＲＳ復号部１２２、ＴＳデコード部１２３及びＭＰＥＧデコード部１２４は、実施の形態１の放送受信装置１００の構成要素と同一であるので、説明を省略する。
【００９２】
（１）等化処理部２０７
等化処理部２０７は、実施の形態１の等化処理部１０７と同様に、ＯＦＤＭシンボルを受け取り、受け取ったＯＦＤＭシンボルを利用して、伝送路上での歪みの影響を補償する機能部である。
図１６は、等化処理部２０７の構成を示すブロック図である。図１６に示すように、遅延回路２２１、ＳＰ抽出回路２２２、複素除算回路２２３、ＳＰ記憶メモリ２２４、シンボル補間回路２２６、キャリア補間回路２２７及び複素除算回路２２９を含んで構成される。
【００９３】
遅延回路２２１は、ＦＦＴ処理部１０６から出力されるＯＦＤＭシンボルを、所定期間、キャッシュした後、複素除算回路２２９へ出力する。
ＳＰ抽出回路は、ＦＦＴ処理部１０６から出力されるＯＦＤＭシンボルから、スキャッタードパイロット信号を抽出し、複素除算回路２２３へ出力する。
ＳＰ記憶メモリ２２４は、各キャリアのＳＰ信号の送信時の振幅及び位相と一致する信号（以下、既知ＳＰ信号）を内部保持しており、この既知ＳＰ信号を複素除算回路２２３へ出力する。
【００９４】
複素除算回路２２３は、ＳＰ抽出回路２２２から出力されるＳＰ信号を、ＳＰ記憶メモリ２２４から出力される既知ＳＰ信号のうち、前記ＳＰ信号と同一のキャリア番号のキャリアに係る既知ＳＰ信号で除算して、そのＳＰ信号を含むシンボル位置及びキャリア位置での周波数応答を算出する。算出した各シンボル位置及びキャリア位置における周波数応答を、シンボル補間回路２２６へ出力する。同様の処理をＳＰ抽出回路２２２から出力される各ＳＰ信号に対して行う。
【００９５】
シンボル補間回路２２６は、複素除算回路２２３から出力される周波数応答によって、当該周波数応答と対応するキャリア上のＳＰ信号が伝送されていないシンボル位置に周波数応答を補間する（時間軸方向の補間）。同様の処理を全てのＳＰ信号について行う。これにより、ＳＰ信号を伝送するキャリアの各シンボル位置における周波数応答が生成された。シンボル補間回路２２６は生成した周波数応答をキャリア補間回路２２７へ出力する。
【００９６】
キャリア補間回路２２７は、シンボル補間回路２２６から出力される周波数応答によって、ＳＰ信号を含んでいないキャリアの周波数応答を補間する（周波数軸方向の補間）。キャリア補間回路２２７は、生成された、各シンボル期間の各キャリアと対応する周波数応答を１シンボル期間ごとに、複素除算回路２２９及び電力算出部２０８へ出力する。
複素除算回路２２９は、遅延回路２２１から出力されるＯＦＤＭシンボルを構成する各複素信号を、キャリア補間回路２２７から出力され各複素信号と対応するシンボル位置及びキャリア位置の周波数応答で除算することで、ＯＦＤＭシンボルを等化し、等化後のＯＦＤＭシンボルをデインタリーブ部１０８へ出力する。
【００９７】
（２）電力算出部２０８
電力算出部２０８は、等化処理部２０７から出力されるシンボル期間ごとの各キャリアの周波数応答を基に、そのシンボル期間における各キャリアの電力を算出する。ここで、周波数応答に基づいて算出される、キャリア番号ｓのキャリアの電力をｐ（ｓ）と表記する。電力算出部２０８は、算出した電力ｐ（０）〜ｐ（５６１６）を短期信頼性生成部２０９へ出力する。
【００９８】
（３）短期信頼性生成部２０９
短期信頼性生成部２０９は、電力算出部２０８から、１シンボル期間における各キャリアの電力ｐ（０）〜ｐ（５６１６）の平均値を算出し、算出した平均値に所定の係数α（０＜α≪１）を掛けて、第１閾値「Ｓα」を算出する。同様に算出した平均値に、所定の係数β、γ（０＜α＜β＜γ≪１）をそれぞれかけて、第２閾値「Ｓβ」、第３閾値「Ｓγ」を算出する。
【００９９】
短期信頼性生成部２０９は、算出した第１閾値、第２閾値及び第３閾値と各電力ｐ（０）〜ｐ（５６１６）を、それぞれ比較する。ｐ（ｓ）＜Ｓαを満たすＰ（ｓ）と対応するキャリアには、信頼性情報「０」を設定する。Ｓα≦ｐ（ｓ）＜Ｓβを満たすｐ（ｓ）と対応するキャリアには、信頼性情報「１」を設定する。Ｓβ≦ｐ（ｓ）＜Ｓγを満たすｐ（ｓ）と対応するキャリアには、信頼性情報「２」を設定する。Ｓγ≦ｐ（ｓ）を満たすｐ（ｓ）と対応するキャリアには、信頼性情報「３」を設定する。
【０１００】
短期信頼性生成部２０９は、各キャリアに対して設定した信頼性情報と、各キャリアを示すキャリア番号とを対応付けて、信頼性合成部２１１へ出力する。
（４）信頼性合成部２１１
信頼性合成部２１１は、信頼性出力部１２１から各キャリアのキャリア番号と、各キャリア番号に対応する信頼性情報とを受け取る。これらを受け取ると、受け取った各キャリア番号と信頼性情報とを対応付けて記憶する。信頼性出力部１２１から、新たにキャリア番号と信頼性情報とを受け取る度に、記憶している各キャリアのキャリア番号及び信頼性情報を受け取ったキャリア番号及び信頼性情報によって更新する。
【０１０１】
また、１シンボル期間毎に、短期信頼性生成部２０９から、各キャリアのキャリア番号と、各キャリア番号と対応する信頼性情報とを受け取る。
短期信頼性生成部２０９から、各キャリアのキャリア番号と、各キャリア番号と対応する信頼性情報とを受け取ると、信頼性合成部２１１は、キャリア番号「０」と対応して、記憶している信頼性情報と、短期信頼性生成部２０９から
受け取ったキャリア番号「０」と対応する信頼性情報とを比較し、値の低い方を選択する。
【０１０２】
同様に、キャリア番号「２」〜「５６１６」についても、記憶している信頼性情報と、短期信頼性生成部２０９から受け取った信頼性情報とを比較して、値の低い方を選択する。
全てのキャリア番号について、信頼性情報の比較・選択を終えると、各キャリアのキャリア番号と、選択された信頼性情報とを対応付けて、ビタビ復号部１１１へ出力する。
２．２  まとめ、効果
以上説明してきたように、本実施の形態では、短期信頼性生成部２０９が、１シンボル期間ごとに各キャリアに対する信頼性情報を設定する。その際に、電力が小さいキャリアほど、信頼性情報を低く設定する。
【０１０３】
図１７（ａ）は、マルチパス妨害による影響を受けたＯＦＤＭ信号の周波数特性を示している。図１７（ａ）に示すように、マルチパス妨害が発生している場合、周期的に深いディップが生じる。ディップ近傍のキャリアでは、誤りが集中して発生する。
本実施の形態においては、短期信頼性生成部２０９は、各キャリアの電力の平均値より十分小さい３段階の閾値（０＜Ｓα＜Ｓβ＜Ｓγ）によって、段階的に信頼性情報を設定した。図１７（ｂ）は、短期信頼性生成部２０９によって設定された信頼性情報と各キャリアのキャリア番号との対応を示している。また、図１７（ａ）の周波数特性と信頼性情報の関係も示している。図１７に示すように、ディップの底の近傍のキャリアには最も低い信頼性情報「０」が設定されており、ディップの底から遠いキャリアほど、高い信頼性情報が設定されている。なお、直接波と遅延波との間の位相差が時間によって変動するため、ディップの生じる周波数も刻々と変化する。そのため、本実施の形態では、短期信頼性生成部２０９は、１シンボル期間ごとに、適切な信頼性情報を生成する。
【０１０４】
信頼性合成部２１１において、信頼性出力部１２１により出力された信頼性情報と短期信頼性生成部２０９から出力された信頼性情報とをキャリア毎に比較し、値の低い方を選択してビタビ復号部１１１へ出力する。
このようにすることで、本発明の放送受信装置２００は、同一チャネル妨害等の外部の妨害波による影響のみならず、マルチパス妨害によって生じるディップの影響も排除することができる。
３．  その他の変形例
以上、実施の形態１及び２を基に説明してきたが、本発明は、これらに限定されるものではなく、以下の場合も含まれる。
【０１０５】
（１）実施の形態１及び２では、日本でのテレビ放送を想定しており、ＩＳＤＢ−Ｔ方式のデジタルテレビ放送と、ＮＴＳＣ方式のアナログテレビ放送を前提に説明してきたがこれに限るものではない。
一例として、ヨーロッパなどで採用されているＰＡＬ（Ｐｈａｓｅ  Ａｌｔｅｒｎａｔｉｏｎ  ｂｙ  Ｌｉｎｅ）方式のアナログテレビ放送、ＤＶＢ−Ｔ（Ｄｉｇｉｔａｌ  Ｖｉｄｅｏ  Ｂｒｏａｄｃａｓｔｉｎｇ  Ｔｅｒｒｅｓｔｒｉａｌ）方式の地上波デジタル放送が考えられる。ＰＡＬ方式では、水平同期周波数は、１５．６２５ｋＨｚであり、ＤＶＢ−Ｔ方式の８Ｋモードでは、キャリア間隔は、１．１１６ｋＨｚである。従って、１５．６２５ｋＨｚ／１．１１６ｋＨｚ＝１４．００８９・・・であり、アナログ放送の映像信号のピーク間には約１４本のキャリアが存在することになる。これらの方式を想定すると、同一チャネル妨害が生じた場合、信頼性出力部１２１は、映像ピークキャリア番号から１４の逓倍離れているキャリア番号のキャリアに低い信頼性情報を設定する。
【０１０６】
なお、ＰＡＬ放送の映像信号及び音声信号の周波数、１チャネル当たりの周波数帯域、オフセットなど、各種のパラメータは、モード（２Ｋ、４Ｋ、８Ｋ）及び国によって異なるので、注意が必要である。
（２）実施の形態１及び２において、閾値算出部１１８は、各キャリアの平均電力Ｐ（０）〜Ｐ（５６１６）の平均値にオフセットを加算して、閾値を算出している。しかし、この方法に限定されるものではない。
【０１０７】
例えば、キャリア毎に閾値を算出してもよい。具体的には、キャリア番号「ｓ」のキャリアの閾値は、Ｐ（ｓ−５０）〜Ｐ（ｓ＋５０）の平均値に所定のオフセットを加算して生成する。なお、ｓ−５０＜０の場合は、Ｐ（０）〜Ｐ（ｓ＋５０）の平均値にオフセットを加算して閾値を生成し、ｓ＋５０＞５６１６の場合は、Ｐ（ｓ−５０）〜Ｐ（５６１６）の平均値にオフセットを加算したものを閾値とする。
【０１０８】
ＯＦＤＭ信号の周波数特性は、図１にはフラットに描かれているが、受信状態によっては、傾いているなどフラットでない場合もある。そのため、全てのキャリアについて同一の閾値を用いると、妨害波の影響を受けていないキャリアをＮＧと判定してしまう可能性がある。上述したように、各キャリア毎に閾値を計算することによって、このような誤判定を回避できる。
【０１０９】
（３）上記の実施の形態１及び２で、妨害判定部１１９は、映像ピークキャリアから４５３６本離れたキャリア位置にピークキャリアが存在する場合に同一チャネル妨害が発生していると判定しているが、判定基準はこれに限らない。
例えば、ピークキャリア番号「Ｃ０」、「Ｃ１」・・・「Ｃｘ」の中で、Ｃｖ±１６ｎ（ｎは自然数）を満たすピークキャリア番号が所定個数以上存在すれば、同一チャネル妨害と判定する。アナログ放送の映像信号は、約１６キャリアごとに急峻なピークを有するので、アナログ放送の映像信号の付近のキャリアにおいて、１６本おきに、ピークキャリアが存在すれば、アナログ放送の映像信号による影響を受けている可能性が非常に高いと考えられる。
【０１１０】
アナログ放送の音声信号は、映像信号に比べて電力が弱いため、妨害のレベルが低い場合には、アナログ放送の音声信号付近でＮＧと判定されるキャリアが検出できない場合があるが、この判定方法を採用することで、妨害レベルが低い場合でも、高い精度で、同一チャネル妨害を検出することができる。
（４）また、キャリア番号８８０〜９２０の間にピークキャリアが存在すれば、同一チャネル妨害が発生していると判定してもよい。
【０１１１】
一般にアナログテレビ放送の音声信号の電力は、映像信号の電力よりも弱いため、同一チャネル妨害が発生していても、妨害レベルが弱い場合、音声信号付近のキャリアでは、妨害波の影響を検出できないことが考えられる。
この判定方法を採用した場合、判定の制度は低くなるが、妨害レベルが弱い場合、または、妨害判定部１１９の回路構成を簡易にしたい場合に有効である。
【０１１２】
（５）実施の形態１及び２において、信頼出力部１２１は、予め、第１対応表と第２対応表とを記憶しているとしたが、これらに変わって、関数及びパラメータを記憶おり、映像ピークキャリア番号、音声ピークキャリア番号と関数から、各キャリアに設定する信頼性情報を算出してもよい。
（６）図１には図示していないが、アナログテレビ放送の映像信号と音声信号との間には、カラーサブキャリアが存在する。
【０１１３】
上記の妨害判定部１１９は、同一チャネル妨害の発生の判定には、映像信号と音声信号付近のキャリアの平均電力を参照しているが、カラーサブキャリア付近のキャリアを用いてもよい。
また、同一チャネル妨害が発生していると判定された場合、信頼性出力部１２１において、映像信号及び音声信号付近のキャリアの場合と同様に、カラーサブキャリア付近のキャリアにも、カラーサブキャリアの周波数特性に応じて信頼性情報を設定してもよい。
【０１１４】
（７）実施の形態２において、電力算出部２０８は、等化処理部２０７のキャリア補間回路２２７から出力される各キャリアの周波数応答を基に、各キャリアの電力を算出しているが、複素除算回路２２９から出力される信号を用いて算出してもよい。
また、放送受信装置２００は、電力算出回路２０８を備えず、短期信頼性生成部２０９は、電力生成部１１２から出力される各キャリアの電力を基に、信頼性情報を設定してもよい。
【０１１５】
（８）実施の形態１及び２において、妨害判定部１１９は、各キャリアの平均電力が閾値以上の場合に、そのキャリアが何らかの妨害波の影響を受けているとして、判定結果をＮＧとした。
これに変わって、隣接するキャリアとの平均電力の差が所定の閾値を超える場合に、判定結果をＮＧとしてもよい。
【０１１６】
移動通信下ではマルチパスの位相が時々刻々と変わっていくため、各キャリアの電力を時間方向に平均すると、妨害波の影響を受けていないキャリアの平均電力は、ほぼ等しくなり、妨害波の影響を受けたキャリアの平均電力は突出して大きくなる。しかし、放送受信機が固定されている場合など、遅延波と直接波の位相差が変動しない場合は、時間方向の平均値であっても、図１７（ａ）に示すような周期的なギャップが生じる。このような場合に、実施の形態１のような方法で、閾値を算出すると、ディップ付近のキャリアの影響で、閾値が小さくなり、妨害を受けていないキャリアをＮＧと誤判定する危険性がある。
【０１１７】
本変形例のように、隣接するキャリアとの平均電力の差分によって、判定を行うと、妨害波の影響を受けているキャリア及びディップの近傍のキャリアでは、平均電力が急激に変動するので、確実にＮＧと判定される。一方、ディップとディップの間の電力が極大となる部分では、平均電力は緩やかに変化するため、ＮＧと判定されにくい。
従って、この変形例によると、正常なキャリアをＮＧと判定する可能性を低くすることができる。
【０１１８】
（９）実施の形態１及び２では、平均算出部１１３は、キャリア毎にシンボル方向に平均電力を算出し、閾値算出部１１８及び妨害判定部１１９は、算出された平均電力Ｐ（０）〜Ｐ（５６１６）を基に、閾値の算出及び妨害の有無を判定しているが、平均電力に代わって、所定期間（例えば１０００シンボル期間）の電力の積算値を用いてもよい。
（１０）上記の各装置を構成する構成要素の一部又は全部は、１個のシステムＬＳＩから構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムに従って動作することにより、システムＬＳＩは、その機能を達成する。
【０１１９】
（１１）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０１２０】
（１２）上記実施の形態及び上記変形例をそれぞれ組み合わせるとしてもよい。
【産業上の利用可能性】
【０１２１】
本発明は、ＯＦＤＭ方式に準拠する信号を受信する電気機器を製造、販売する産業、前記電気機器を使用する産業において、経営的に、また、継続反復的に利用することができる。
【図面の簡単な説明】
【０１２２】
【図１】日本における地上波デジタル放送及びアナログテレビ放送の周波数特性を示す。
【図２】同一チャネルを利用する地上波デジタル放送とアナログ放送の周波数特性を示す。特に、アナログテレビ放送の映像信号の分布する周波数帯について示している。
【図３】同一チャネルを利用する地上波デジタル放送とアナログ放送の周波数特性を示す。特に、アナログテレビ放送の音声信号の分布する周波数帯について示している。
【図４】地上波デジタル放送に生じるインバンド妨害を示す。
【図５】実施の形態１に係る放送受信装置１００の構成を示すブロック図である。
【図６】メモリ１１６の構成の一例を示す。
【図７】妨害判定部１１９の記憶しているキャリア判定表１４０の詳細を示す。
【図８】放送受信装置１００の受信するＯＦＤＭ信号の各キャリアの平均電力の分布の一例を示している。特に、キャリア番号８６７〜９３３のキャリアについて示す。
【図９】放送受信装置１００の受信するＯＦＤＭ信号の各キャリアの平均電力の分布の一例を示している。特に、キャリア番号５４０３〜５４６９のキャリアについて示す。
【図１０】信頼性出力部１２１の記憶している第１対応表に含まれる各キャリアのキャリア番号と信頼性情報の対応関係を示している。
【図１１】信頼性出力部１２１の記憶している第２対応表に含まれる各キャリアのキャリア番号と信頼性情報との対応関係を示している。
【図１２】電力算出部１１２、平均算出部１１３、閾値算出部１１８妨害判定部１１９及び信頼性出力部１２１による信頼性情報の設定の動作を示すフローチャートである。
【図１３】信頼性情報の設定の動作を示すフローチャートである。図１２から続く。
【図１４】信頼性情報の設定の動作を示すフローチャートである。図１２から続く。
【図１５】実施の形態２に係る放送受信装置２００の構成を示すブロック図である。
【図１６】等化処理部２０７の構成を示すブロック図である。
【図１７】マルチパス妨害の影響を受けているＯＦＤＭ信号の周波数特性、及び、各キャリアに設定される信頼性情報を示している。
【符号の説明】
【０１２３】
１００    放送受信装置
１０１    アンテナ
１０２    チューナ
１０３    Ａ／Ｄ変換部
１０４    直交検波部
１０６    ＦＦＴ処理部
１０７    等化処理部
１０８    デインタリーブ部
１０９    デマップ部
１１１    ビタビ復号部
１１２    電力算出部
１１３    平均算出部
１１４    加算部
１１６    メモリ
１１７    遅延部
１１８    閾値算出部
１１９    妨害判定部
１２１    信頼性出力部
１２２    ＲＳ復号部
１２３    ＴＳデコード部
１２４    ＭＰＥＧデコード部
２００    放送受信装置
２０７    等化処理部
２０８    電力算出部
２０９    短期信頼性生成部
２１１    信頼性合成部
２２１    遅延回路
２２２    ＳＰ抽出回路
２２３    複素除算回路
２２４    ＳＰ記憶メモリ
２２６    シンボル補間回路
２２７    キャリア補間回路
２２９    複素除算回路
【図１】
2006246447.tif 000003
【図２】
2006246447.tif 000004
【図３】
2006246447.tif 000005
【図４】
2006246447.tif 000006
【図５】
2006246447.tif 000007
【図６】
2006246447.tif 000008
【図７】
2006246447.tif 000009
【図８】
2006246447.tif 000010
【図９】
2006246447.tif 000011
【図１０】
2006246447.tif 000012
【図１１】
2006246447.tif 000013
【図１２】
2006246447.tif 000014
【図１３】
2006246447.tif 000015
【図１４】
2006246447.tif 000016
【図１５】
2006246447.tif 000017
【図１６】
2006246447.tif 000018
【図１７】
2006246447.tif 000019